(57)【要約】  【課題】  ペーパーマガジン内に印画紙が装填されていない場合、そのペーパーマガジンが機体に搭載された時点で、自動的にその旨をオペレータに報知することの出来る画像処理装置を提供する。【解決手段】  ペーパーマガジンと、機体に搭載されたペーパーマガジン内から印画紙を引き出して搬送する搬送装置と、この搬送装置の駆動を制御するコントローラとが備えられた画像処理装置において、ペーパーマガジンの機体への搭載を検出するためのマガジン検出手段と、ペーパーマガジンから引き出される印画紙を検出するための感光材料検出手段とが備えられ、コントローラには、電源が投入された画像処理装置の機体にペーパーマガジンを搭載するに伴い、ペーパーマガジン内の印画紙が所定長さ引き出されるように搬送装置の駆動を制御するための搬送手段制御機能と、搬送手段制御機能により搬送装置が駆動した後に、感光材料検出手段が印画紙を検出しない時には、マガジン内に印画紙が装填されていない旨をモニターに表示させるための報知手段制御機能とが構築された。  【選択図】  図２
2005250098.tif 000002
【特許請求の範囲】
【請求項１】
感光材料が装填されるペーパーマガジンと、機体に搭載されたペーパーマガジン内から感光材料を引き出して搬送する搬送手段と、この搬送手段の駆動を制御する制御手段とが備えられた画像処理装置において、
ペーパーマガジンの機体への搭載を検出するためのマガジン検出手段と、ペーパーマガジンから引き出される感光材料を検出するための感光材料検出手段とが備えられ、制御手段には、電源が投入された画像処理装置の機体にペーパーマガジンを搭載するに伴い、ペーパーマガジン内の感光材料が所定長さ引き出されるように搬送手段の駆動を制御するための搬送手段制御機能と、搬送手段制御機能により搬送手段が駆動した後に、感光材料検出手段が感光材料を検出しない時には、マガジン内に感光材料が装填されていない旨を報知手段に報知させるための報知手段制御機能とが構築されていることを特徴とする画像処理装置。
【発明の詳細な説明】
【技術分野】
【０００１】
本発明は、感光材料を装填したペーパーマガジンが搭載され、このペーパーマガジンから引き出される感光材料に画像をプリント処理するようにした画像処理装置に関する。
【背景技術】
【０００２】
一般にこの種の画像処理装置は、機体に搭載したペーパーマガジン内からロール状に巻かれた印画紙などの感光材料を引き出して搬送するための搬送部と、この搬送部の駆動を制御するためのコントローラとが備えられて成り、コントローラの制御により搬送部を駆動させて、ペーパーマガジン内の感光材料を引き出して露光部に向けて順次搬送して、この露光部で感光材料に画像を焼付処理した後、この感光材料を現像処理部で現像処理して、プリントを仕上げるようにしている。（特許文献１参照）
【特許文献１】特開２００２−１４８７２７号公報  ところで、以上の画像処理装置において、機体に搭載されるペーパーマガジン内に感光材料が装填されているか否かを確認したい場合、前記した従来の画像処理装置では、感光材料が感光しないように、暗室などでマガジンを開けて確認するしかないのであるが、この方法では、感光材料の確認作業に時間を要して、作業性が悪いし、場合によっては、感光材料にかぶりが生じる不具合もある。
【０００３】
また以上の画像処理装置では、画像のプリント処理作業が開始された段階でペーパーマガジン内の感光材料が引き出されない場合には、ペーパーの送出しが失敗された旨のエラー表示が行なわれるので、この段階でペーパーマガジン内に感光材料が装填されていないことを確認することが出来るが、以上のエラー表示は、画像の色補正等の処理を終えた後、露光部でのプリント処理開始時点でエラー表示されるので、プリントの処理の作業性が悪い。
【発明の開示】
【発明が解決しようとする課題】
【０００４】
本発明は以上の実情に鑑みて開発したものであって、目的とするところは、ペーパーマガジン内に感光材料が装填されていない場合、そのペーパーマガジンが機体に搭載された時点で、自動的にその旨をオペレータに報知することの出来る画像処理装置を提供することにある。
【課題を解決するための手段】
【０００５】
以上の目的を達成するために、請求項１に記載の発明は、感光材料が装填されるペーパーマガジンと、機体に搭載されたペーパーマガジン内から感光材料を引き出して搬送する搬送手段と、この搬送手段の駆動を制御する制御手段とが備えられた画像処理装置において、ペーパーマガジンの機体への搭載を検出するためのマガジン検出手段と、ペーパーマガジンから引き出される感光材料を検出するための感光材料検出手段とが備えられ、制御手段には、電源が投入された画像処理装置の機体にペーパーマガジンを搭載するに伴い、ペーパーマガジン内の感光材料が所定長さ引き出されるように搬送手段の駆動を制御するための搬送手段制御機能と、搬送手段制御機能により搬送手段が駆動した後に、感光材料検出手段が感光材料を検出しない時には、マガジン内に感光材料が装填されていない旨を報知手段に報知させるための報知手段制御機能とが構築されていることを特徴とするものである。
【発明の効果】
【０００６】
請求項１に記載の発明によれば、ペーパーマガジンが機体に搭載された時点で、ペーパーマガジン内に感光材料が装填されているか否かが自動的に判別できるので、従来のように、暗室などでペーパーマガジンを開けて感光材料が装填されているか否かを確認しなくてもよく、その結果、感光材料の確認作業が良好となるし、画像処理装置によるプリントの処理作業もスムーズに行なうことが出来るに至ったのである。
【発明を実施するための最良の形態】
【０００７】
図１は、本発明にかかる画像処理装置の一例を概略的に示したものであって、この画像処理装置は、写真感光材料の一例である印画紙Ｐに画像等の焼き付けを行うための焼付け処理部１と、この焼付け処理部１で焼き付け処理された印画紙Ｐを現像処理する現像処理部２と、該現像処理部２で現像処理された印画紙Ｐを乾燥する乾燥処理部３と、乾燥処理された印画紙Ｐを排出するプリント排出部４とが備えられている。
【０００８】
焼付け処理部１には、モニタ１１、光源ランプ１２、露光部１３、２つのペーパーマガジン５が搭載される機体としてのマガジン搭載部１４、マガジン搭載部１４に搭載したペーパーマガジン２から印画紙Ｐを引き出して露光部１３に向けて搬送するための搬送装置１５が備えられている。
【０００９】
露光部１３は、ライン状の露光ヘッド１３ａが備えられ、この露光ヘッド１３ａにより、デジタル画像データに基づいて処理されたデジタル画像を、搬送装置１５により搬送中の印画紙に一定周期で１ラインずつデジタル露光するようにしている。
【００１０】
尚、デジタル露光の方式としては、ＰＬＺＴシャッター方式やレーザービーム方式、液晶シャッター方式、蛍光ビーム方式が知られており、仕様に応じて任意の方式を採択することが出来る。
【００１１】
現像処理部２は、処理槽２１が備えられており、処理槽２１には、現像液、漂白定着液、安定化液等の各種処理液がそれぞれ個別に貯溜されている。
【００１２】
乾燥処理部３は、ヒーター３１が備えられており、印画紙Ｐを搬送させる間に印画紙Ｐをヒーター３１によって適宜乾燥するようにしている。そして、乾燥処理部３で乾燥された印画紙Ｐは、プリント排出部４に送られ、その排出口から排出されるようにしている。
【００１３】
マガジン搭載部１４に搭載されるペーパーマガジン５は、略直方体に形成されたケース本体５０が備えられ、このケース本体５０内には、ロール状に巻回された印画紙Ｐがリール５１に支持された状態で収納可能であり、またケース本体５０内に収容された印画紙Ｐは、その遊端部をケース本体５０の搬出口５２から外部に引き出し可能となっている。
【００１４】
またケース本体５０内における搬出口５２近傍には、搬送ローラ対５３が設けられ、この搬送ローラ対５３の回転により印画紙Ｐを搬送するようにしている。
【００１５】
一方、搬送装置１５は、ペーパーマガジン内に搬送ローラ対５３を回転させて、印画紙Ｐを搬出口５２から外部に引き出したりリール５１に巻き戻したりするためのマガジン側搬送機構１６と、ペーパーマガジン５から引き出される印画紙Ｐを露光部１３から現像処理部２に向けて搬送するための主搬送機構１７とが備えられており、これらマガジン側搬送機構１６及び主搬送機構１７の駆動は、制御手段としてのコンピュータから構成されるコントローラ６により制御される。
【００１６】
尚、図中１８は、印画紙Ｐを所定長さに切断するためのカッターである。
【００１７】
またマガジン搭載部１４には、マガジン搭載部１４に対するペーパーマガジン５の脱着を検出するためのマガジン検出手段としてのマガジン検出センサー７ａと、ペーパーマガジン５から引き出される印画紙Ｐを検出するための感光材料検出手段としての印画紙検出センサー７ｂとが設けられ、これらマガジン検出センサー７ａ及び印画紙検出センサー７ｂは、コントローラ６の入力部に接続されている。
【００１８】
尚、印画紙検出センサー７ｂは、発光ダイオードとフォトトランジスタとから成る光透過型のフォトセンサーが用いられ、マガジン検出手段７ａは、リミットスイッチが用いられている。
【００１９】
一方、コントローラ６のプログラム上には、マガジン検出センサー７ａ及び印画紙検出センサー７ｂから送られて来る検出信号に基づいて、マガジン搭載部１４にペーパーマガジン２がセットされたのを検出した時、ペーパーマガジン５内の印画紙Ｐが所定長さ、具体的には印画紙Ｐの先端が印画紙検出センサー７ｂを少し通過する長さだけ引き出されるように搬送装置１５のマガジン側搬送機構１６の駆動を制御するための搬送手段制御機能６１と、搬送手段制御機能６１の制御により搬送装置１５のマガジン側搬送機構１６が駆動した後、印画紙検出センサー７ｂが印画紙Ｐを検出しない時には、ペーパーマガジン５内に印画紙Ｐが装填されていない旨をモニター１１の画面に表示させるための報知手段制御機能６２とが構築されている。
【００２０】
また前述の搬送手段制御機能６１は、印画紙検出センサー７ｂが印画紙Ｐを検出した時には、印画紙Ｐの先端がペーパーマガジン５内の所定位置まで巻き戻されるように搬送装置１５のマガジン側搬送機構１６の駆動を制御するようにしている。
【００２１】
次に以上の画像処理装置のマガジン搭載部１４にペーパーマガジン５を搭載した時の作用を図３に示すフローチャートに従って説明する。
【００２２】
まず、画像処理装置に電源が投入されている状態において、ペーパーマガジン５がマガジン搭載部１４に搭載されるに伴い、コントローラ６の搬送手段制御機能６１により、ペーパーマガジン５がマガジン搭載部１４に搭載されたか否かが判別（ステップ１０１）され、ペーパーマガジン５がマガジン搭載部１４に搭載されている場合には、更に印画紙検出センサー７ｂが印画紙Ｐを検出したか否かが判別（ステップ１０２）されるのであって、印画紙Ｐが検出されていない場合には、ペーパーマガジン５内の印画紙Ｐの先端が印画紙検出センサー７ｂを少し通過する長さだけ引き出されるようにマガジン側搬送機構１６を所定時間駆動させるのである。（ステップ１０３）
そしてマガジン側搬送機構１６を所定時間駆動させた後、再度、印画紙検出センサー７ｂが印画紙Ｐを検出したか否かが判別（ステップ１０４）され、印画紙Ｐが検出されない時には、報知手段制御機能６２により、モニター１１の画面に「ペーパーマガジンに印画紙が装填されていない可能性があります。」のメッセージが表示（ステップ１０５）されるのである。
【００２３】
従って、オペレータは、モニター１１上に前述のメッセージが表示された段階で、ペーパーマガジン５の点検作業を行なえばよい。
一方、ステップ１０２またはステップ１０５で印画紙Ｐが検出された場合には、搬送手段制御機能６１を介してマガジン側搬送機構１６が駆動して、印画紙Ｐの先端がペーパーマガジン５内の所定位置までくるように印画紙Ｐがペーパーマガジン５内に巻き戻される（ステップ１０６）のである。
【００２４】
斯くして、以上の画像処理装置では、ペーパーマガジン５がマガジン搭載部１４に搭載された時点で、ペーパーマガジン５内に印画紙が装填されているか否かが自動的に判別できるので、従来のように、暗室などでペーパーマガジン５を開けて印画紙が装填されているか否かを確認しなくてもよく、感光材料の確認作業が良好となるし、その結果、画像処理装置によるプリントの処理作業もスムーズに行なうことが出来るのである。
【００２５】
以上の実施形態では、印画紙に画像を焼付けた後、現像処理するようにした画像処理装置に本発明を適用したが、これに限定されるものではなく、例えばインクジェット式のプリント装置が搭載された画像処理装置に本発明を適用してもよい。
【００２６】
また以上の実施形態では、感光材料として印画紙Ｐを用いた場合を説明したが、これに限定されるものではなく、感光材料としてフィルムを用いたものに適用してもよい。
【図面の簡単な説明】
【００２７】
【図１】本発明にかかる画像処理装置の一実施形態を示す説明図。
【図２】同、構成図。
【図３】本発明にかかる画像処理装置の作動を示すフローチャート。
【符号の説明】
【００２８】
１      焼付け処理部
１１    モニター（報知手段）
１４    マガジン搭載部（機体）
１５    搬送装置（搬送手段）
２     現像処理部
５    ペーパーマガジン
５２  搬出口
６    コントローラ（制御手段）
６１  搬送手段制御機能
６２  報知手段制御機能
７ａ  マガジン検出センサー
７ｂ  印画紙検出センサー
Ｐ    印画紙（感光材料）
【図１】
2005250098.tif 000003
【図２】
2005250098.tif 000004
【図３】
2005250098.tif 000005